(57)【要約】ワイヤレス通信網は複数のネットワークサービスエリアの各々において時間登録フラグ情報を送信することによりネットワーク内のサービスエリアを制限する。フラグ情報は定められたブロードキャストサービスに対する登録がブロードキャストサービスへのアクセスを要望するサービスエリア内の移動局に対して現在必要であるかどうかを示す。したがって、送信フラグ情報を使用してこのような登録を促すことができ、またこのような催促に応答して任意の登録がタイムリーに受信されるかどうかを検出してネットワークは一つ以上のブロードキャストサービスをタイムリーに非活性化することができる。各サービスエリアは一つ以上のサービスゾーンを制御し、その各々が多数のメンバーサービスエリアを含むことができ、好ましくは、ネットワークは要求されたブロードキャストサービスをサービスゾーン毎に活性化しそのサービスをサービスエリア毎に非活性化する。このような非活性化のタイミングは送信された登録フラグ情報を認識しない移動局とコンパチブルとすることができる。
2005535272.tif 000002
【特許請求の範囲】
【請求項１】
ワイヤレス通信網の一つ以上のサービスエリア内のブロードキャストサービス制御方法であって、
各々が一つ以上のサービスエリアを含むサービスゾーンを画定するステップと、
各サービスエリア内に登録フラグ情報を送信してサービスエリアベースでブロードキャストサービス登録を促しかつサービスゾーンベースでブロードキャストサービス終了を検出するステップと、
を含む方法。
【請求項２】
請求項１に記載の方法であって、さらに、ブロードキャストサービスに対する登録要求がそのサービスエリア内で受信されれば、サービスエリアの一つにより制御される全てのサービスゾーン内のブロードキャストサービスを活性化するステップを含む方法。
【請求項３】
請求項２に記載の方法であって、さらに、ブロードキャストサービスがそのサービスゾーン内で既にアクティブであり、かつそのサービスゾーンに関連する制御サービスエリア内でブロードキャストサービスに対する登録要求が受信されれば定められたサービスゾーン内のブロードキャストサービスを継続するステップを含む方法。
【請求項４】
請求項２に記載の方法であって、ブロードキャストサービスに対する登録要求がそのサービスエリア内で受信されれば一つのサービスエリアにより制御される全てのサービスゾーン内のブロードキャストサービスを活性化するステップは、登録要求が受信されたサービスエリアにより制御されるサービスゾーン内に含まれる全サービスエリア内でブロードキャストサービスを送信するステップを含む方法。
【請求項５】
請求項２に記載の方法であって、一つのサービスエリアにより制御される全てのサービスゾーン内のブロードキャストサービスを活性化するステップは、登録要求が受信されたサービスエリアにより制御される全サービスゾーンの各サービスエリア内でForward Broadcast Supplemental Channel（Ｆ-ＢＳＣＨ）信号によるブロードキャストサービスの送信を開始するステップを含む方法。
【請求項６】
請求項２に記載の方法であって、さらに、そのサービスエリアが関連する全サービスゾーン内でブロードキャストサービスが終了すればサービスエリアの一つにおけるブロードキャストサービスを非活性化するステップを含む方法。
【請求項７】
請求項６に記載の方法であって、そのサービスエリアが関連する全てのサービスゾーン内でブロードキャストサービスが終了すればサービスエリアの一つにおけるブロードキャストサービスを非活性化するステップは、そのサービスエリア内のブロードキャストサービスの送信を終了するステップを含む方法。
【請求項８】
請求項１に記載の方法であって、サービスゾーンを画定するステップは一つ以上のネットワークパラメータに基づいてサービスエリアおよびサービスゾーン間の固定連関を規定するステップを含む方法。
【請求項９】
請求項１に記載の方法であって、サービスゾーンを画定するステップは、ネットワークの一つ以上のサービスエリア内で動作しながらブロードキャストサービスへのアクセスを要望する移動局からの帰還情報に基づいてサービスエリアおよびサービスゾーン間のダイナミック連関を規定するステップを含む方法。
【請求項１０】
請求項９に記載の方法であって、帰還情報はそこから移動局によりブロードキャストサービスを送信することができるサービスエリアを識別する各移動局からのアクティブセット報告を含む方法。
【請求項１１】
請求項１０に記載の方法であって、ネットワークは移動局からのアクティブセット報告に基づいてサービスゾーンをダイナミックに画定する方法。
【請求項１２】
請求項１０に記載の方法であって、各サービスエリアはサービスエリアの近隣リストを識別する登録フラグ情報として登録フラグアレイを送信し、さらに、アクティブセットおよび近隣リストに基づいて一つ以上のサービスゾーンを形成するステップを含む方法。
【請求項１３】
請求項１０に記載の方法であって、さらに、
サービスエリアに対するデフォルトサービスゾーンを識別する各サービスエリア内で近隣リストを送信するステップと、
ブロードキャストサービスへのアクセスを要望するサービスエリア内の移動局からアクティブセット報告を送信するステップと、
アクティブセット報告に基づいてブロードキャストサービスの活性化に対するサービスゾーンをダイナミックに構成するステップと、
を含む方法。
【請求項１４】
請求項１に記載の方法であって、各サービスエリア内で登録フラグ情報を送信するステップは、各サービスエリア内でネットワークによりブロードキャストされるオーバヘッドチャネルにより少なくとも一つの登録フラグインジケータを送信するステップを含む方法。
【請求項１５】
請求項１４に記載の方法であって、各サービスエリア内でネットワークによりブロードキャストされるオーバヘッドチャネルにより少なくとも一つの登録フラグインジケータを送信するステップは、Forward Paging Channel（Ｆ-ＰＣＨ）またはForward Broadcast Channel（Ｆ-ＢＣＣＨ）によりこのような情報を送信するステップを含む方法。
【請求項１６】
請求項１に記載の方法であって、各サービスエリア内で登録フラグ情報を送信してサービスエリアベースでブロードキャストサービス登録を促しかつサービスゾーンベースでブロードキャストサービス終了を検出するステップは、
ブロードキャストサービスに対する登録が現在要求される場合に設定され、このような登録が現在要求されない場合にはクリアされる少なくとも一つの登録フラグ情報インジケータを各サービスエリア内で送信するステップと、
登録要求が受信されると少なくとも一つの登録フラグインジケータをクリアして第１のタイムアウト期間を開始するステップと、
第１のタイムアウト期間が終了すると少なくとも一つの登録フラグインジケータをリセットして第２のタイムアウト期間を開始するステップと、
第２のタイムアウト期間が終了する前に登録が受信されなければ、サービスエリアにより制御されるサービスゾーンに対するブロードキャストサービスは終了しているものと見なすステップと、
を含む方法。
【請求項１７】
請求項１６に記載の方法であって、さらに、第２のタイムアウト期間を周期的ブロードキャストサービス登録に対して一つ以上の移動局により使用される登録期間よりも長く設定するステップを含む方法。
【請求項１８】
請求項１６に記載の方法であって、さらに、サービスエリアにより制御されるサービスゾーンのサイズに基づいて各サービスエリアに対する第１および第２のタイムアウト期間を設定するステップを含む方法。
【請求項１９】
請求項１に記載の方法であって、サービスゾーンを画定するステップは、
一つ以上のメンバーサービスエリアのセットとして各サービスゾーンを画定するステップと、
少なくとも一つのメンバーサービスエリアを制御サービスエリアとして指示しかつ任意の残りのメンバーサービスエリアを関連サービスエリアとして指示するステップと、
を含む方法。
【請求項２０】
請求項１９に記載の方法であって、さらに、一つ以上のサービスエリアの２つ以上のサービスゾーンのメンバーサービスエリアとしての画定に基づいて、重なり合う一つ以上のサービスゾーンを画定するステップを含む方法。
【請求項２１】
請求項１９に記載の方法であって、さらに、そのゾーンの制御サービスエリア内で登録要求が受信される時に、サービスゾーンの全メンバーサービスエリアに対するブロードキャストサービスを活性化するステップを含む方法。
【請求項２２】
請求項２１に記載の方法であって、さらに、サービスエリアがメンバーである全サービスゾーン内でブロードキャストサービスが終了している場合しか、サービスエリア内のブロードキャストサービスを非活性化しないステップを含む方法。
【請求項２３】
請求項１に記載の方法であって、サービスゾーンを画定するステップはサービスエリアとサービスゾーン間の固定連関に基づいて固定サービスゾーンを画定するステップを含む方法。
【請求項２４】
請求項１に記載の方法であって、サービスゾーンを画定するステップはサービスエリアとサービスゾーン間のダイナミック連関に基づいてダイナミックサービスゾーンを画定するステップを含む方法。
【請求項２５】
ワイヤレス通信網内の複数のサービスエリア内でブロードキャストサービスの送信を制御する基地局コントローラ（ＢＳＣ）であって、
各々が一つ以上のサービスエリアを含む一つ以上のサービスゾーンを画定し、
各サービスエリア内に登録フラグ情報を送信してサービスエリアベースでブロードキャストサービス登録を促し、かつサービスゾーンベースでブロードキャストサービス終了を検出する、
ように構成される基地局コントローラ。
【請求項２６】
請求項２５に記載のＢＳＣであって、ブロードキャストサービスに対する登録要求がサービスエリア内で受信されれば、サービスエリアにより制御される全てのサービスゾーン内のブロードキャストサービスを活性化するＢＳＣ。
【請求項２７】
請求項２６に記載のＢＳＣであって、サービスエリア内で送信されるForward Broadcast Supplemental Channel（Ｆ-ＢＳＣＨ）信号によりブロードキャストサービスの送信を開始することによりサービスエリア内のブロードキャストサービスを開始するＢＳＣ。
【請求項２８】
請求項２６に記載のＢＳＣであって、ブロードキャストサービスがサービスゾーン内で既にアクティブであり、かつサービスゾーンの制御サービスエリア内でブロードキャストサービスに対する登録要求が受信されればサービスゾーン内のブロードキャストサービスを継続するＢＳＣ。
【請求項２９】
請求項２６に記載のＢＳＣであって、サービスエリア内のブロードキャストサービスの送信を開始することによりサービスエリア内のブロードキャストサービスを活性化するＢＳＣ。
【請求項３０】
請求項２６に記載のＢＳＣであって、サービスエリアに対して送信されたForward Broadcast Supplemental Channel（Ｆ-ＢＳＣＨ）信号によりブロードキャストサービスの送信を開始することによりサービスエリア内のブロードキャストサービスを活性化するＢＳＣ。
【請求項３１】
請求項２６に記載のＢＳＣであって、そのサービスエリアが関連する全サービスゾーン内でブロードキャストサービスが終了すればサービスエリア内のブロードキャストサービスを非活性化するＢＳＣ。
【請求項３２】
請求項３１に記載のＢＳＣであって、サービスエリアに対する無線カバレッジを提供する一つ以上の無線基地局（ＲＢＳ）の制御に基づいて各サービスエリア内のブロードキャストサービスを活性化および非活性化するＢＳＣ。
【請求項３３】
請求項３２に記載のＢＳＣであって、サービスエリアに対する無線カバレッジを提供する一つ以上のＲＢＳからの登録フラグ情報の送信に基づいて登録フラグ情報を送信するＢＳＣ。
【請求項３４】
請求項３１に記載のＢＳＣであって、サービスエリア内のブロードキャストサービスの送信を終了することによりサービスエリア内のブロードキャストサービスを非活性化するＢＳＣ。
【請求項３５】
請求項２５に記載のＢＳＣであって、一つ以上のメンバーサービスエリアを含む各サービスゾーンの画定に基づいてサービスゾーンを画定し、少なくとも一つのメンバーサービスエリアはサービスゾーンに対する制御サービスエリアとして規定されるＢＳＣ。
【請求項３６】
請求項３５に記載のＢＳＣであって、サービスゾーンの制御サービスエリア内で登録要求が受信されればサービスゾーンの全メンバーサービスエリア内のブロードキャストサービスの送信を活性化または継続するＢＳＣ。
【請求項３７】
請求項２５に記載のＢＳＣであって、登録フラグ情報の送信およびブロードキャストサービスの活性化および非活性化を管理するように構成された少なくとも一つのブロードキャストサービスコントローラを含むＢＳＣ。
【請求項３８】
請求項３７に記載のＢＳＣであって、インターフェイスおよび少なくとも一つのブロードキャストコントローラを含む制御リソースを含み、さらに、
外部ネットワークに対する呼トラフィックを運ぶ一つ以上のネットワークエンティティにＢＳＣをインターフェイスさせるネットワークインターフェイスと、
複数のサービスエリアに対する無線カバレッジを提供する一つ以上の無線基地局にＢＳＣをインターフェイスさせる一つ以上の無線基地局インターフェイスと、を含み、
ＢＳＣは一つ以上の無線基地局インターフェイスを介したブロードキャストサービスおよび登録フラグ情報の送信を制御するＢＳＣ。
【請求項３９】
請求項３７に記載のＢＳＣであって、ブロードキャストサービスコントローラは、
各サービスゾーン内のブロードキャストサービスの終了時間を決めるタイミング回路と、
タイミング回路を管理しかつ各サービスエリア内のブロードキャストサービスの活性化および非活性化を制御する制御論理と、
を含むＢＳＣ。
【請求項４０】
請求項２５に記載のＢＳＣであって、各サービスエリア内の無線カバレッジを提供する一つ以上の無線基地局（ＲＢＳ）から送信されるオーバヘッドチャネル信号によりブロードキャストサービスパラメータメッセージを送ることにより各サービスエリア内に登録フラグ情報を送信するＢＳＣ。
【請求項４１】
請求項２５に記載のＢＳＣであって、サービスエリアおよびサービスゾーン間の固定連関に基づいてサービスゾーンを画定するＢＳＣ。
【請求項４２】
請求項２５に記載のＢＳＣであって、複数のサービスエリアの少なくとも一つ内で動作しながらブロードキャストサービスへのアクセスを要望する移動局からの帰還情報から少なくとも一部決定されるサービスエリアおよびサービスゾーン間のダイナミック連関に基づいてサービスゾーンを画定するＢＳＣ。
【請求項４３】
請求項４２に記載のＢＳＣであって、帰還情報はそこから移動局によりブロードキャストサービスを受信することができるサービスエリアを識別する各移動局からのアクティブセット報告を含むＢＳＣ。
【請求項４４】
請求項４３に記載のＢＳＣであって、サービスエリアに対するサービスエリアの近隣リストを識別する登録フラグ情報を設定することにより各サービスエリア内の登録フラグアレイの送信を制御するＢＳＣ。
【請求項４５】
請求項４４に記載のＢＳＣであって、アクティブセットと近隣リストの比較に基づいて一つ以上のサービスゾーンをダイナミックに形成するＢＳＣ。
【請求項４６】
請求項２５に記載のＢＳＣであって、
ブロードキャストサービスに対する登録が現在要求される場合に設定され、このような登録が現在要求されない場合にはクリアされる少なくとも一つの登録フラグ情報インジケータを各サービスエリア内で送信し、
登録要求が受信されると少なくとも一つの登録フラグインジケータをクリアして第１のタイムアウト期間を開始し、
第１のタイムアウト期間が終了すると少なくとも一つの登録フラグインジケータをリセットして第２のタイムアウト期間を開始し、
第２のタイムアウト期間が終了する前に登録が受信されなければ、サービスエリアにより制御されるサービスゾーンに対するブロードキャストサービスは終了しているものと見なす、
ことにより各サービスエリア内で登録フラグ情報を送信するＢＳＣ。
【請求項４７】
請求項４６に記載のＢＳＣであって、第２のタイムアウト期間を周期的ブロードキャストサービス登録に対して一つ以上の移動局により使用される周期的登録期間よりも長く設定するＢＳＣ。
【請求項４８】
請求項４６に記載のＢＳＣであって、サービスエリアにより制御されるサービスゾーンのサイズに基づいて各サービスエリアに対する第１および第２のタイムアウト期間を設定するＢＳＣ。
【請求項４９】
ワイヤレス通信網内で使用する移動局であって、
ネットワークから送信されるデータを受信する受信機であって、前記データは対応するブロードキャストサービスに対して現在登録が要求されるかどうかを示す登録フラグ情報を含む受信機と、
登録フラグ情報に応答してブロードキャストサービス登録要求の発生を制御する登録制御論理と、
ネットワークへ登録要求を送信する送信機と、
を含む移動局。
【請求項５０】
請求項４９に記載の移動局であって、ネットワークは２つ以上のブロードキャストサービスに対する登録フラグ情報を送信し、登録制御論理はそのサービスに対応する登録フラグ情報に応答して各ブロードキャストサービスに対する登録要求の送信を制御する移動局。
【請求項５１】
請求項４９に記載の移動局であって、登録フラグ情報は設定されて現在登録が要求されることを示しクリアされてこのような登録は現在要求されないことを示す登録フラグを含み、登録制御論理は、
ブロードキャストサービスに対する登録フラグが設定されるかクリアされるかを決定し、
登録フラグが設定される決定に応答して規定された遅延だけ待機し、
規定された遅延だけ待機した後でまだ登録フラグが設定されておれば、ブロードキャストサービスに対する登録要求を送信する、
ように構成される移動局。
【請求項５２】
請求項５１に記載の移動局であって、規定された遅延は移動局に割当てられた移動局識別子から決定される移動局。
【請求項５３】
請求項５１に記載の移動局であって、規定された遅延は確率化された関数として決定される移動局。
【請求項５４】
請求項５１に記載の移動局であって、登録フラグが設定されるサービスエリア内へ無用のハンドオフを行う場合は、規定された遅延を無視して即座に登録するように構成される移動局。
【発明の詳細な説明】
【技術分野】
【０００１】
（関連出願）
本出願は３５Ｕ.Ｓ.Ｃ. §１１９の元で２００２年８月５日に出願され通し番号６０/４０１,１３５を割当てられた仮出願および２００２年９月１０日に出願され通し番号６０/４０９,５１０を割当てられた仮出願から優先権を請求するものであり、その両方が本開示の一部としてここに組み入れられている。
（発明の背景）
本発明はセルラー通信網等のワイヤレス通信網内のブロードキャストベースで提供される情報サービスに関し、特に、一つ以上の移動局に対するこのようなサービスをサポートするのに使用されるサービスセル数の制御に関する。
【背景技術】
【０００２】
セルラー音声およびデータ網等の公衆地上移動電話網（ＰＬＭＮ）の発展に関して最も顕著な点の一つは利用可能なサービスの多様性および洗練化が増してきていることである。現在および計画中のワイヤレス網の拡張するデータ能力に関連するより新しいサービスの一つはブロードキャスト/マルチキャストサービスである。このサービスタイプにより、ストリーミングニュースリポート等の情報ストリームは網の一つ以上のセル内の一般的に利用可能なチャネル上で“ブロードキャスト”され、ブロードキャスト/マルチキャストチャネルに“同調”することにより複数の移動局が同時に情報ストリームを受信できるようにされる。
【０００３】
このようなサービスの意図は少なくとも画定されたサービスエリア内に本質的に“ブランケット”カバレッジを提供することであるため、このようなブロードキャストチャネルはそれらに割当てられる送信電力に関してリソース集約的である。この意味において、ブロードキャストチャネル信号は定められた無線基地局のカバレッジエリア全体にわたって適切な受信を保証するために比較的高い送信電力が送られる点でページングチャネル信号に類似している。しかしながら、平均ブロードキャストチャネル信号のデータレートは平均ページングチャネルのそれよりも遥かに高く、たとえば、６４Ｋｂｐｓ対４.８Ｋｂｐｓ、そのためブロードキャストチャネルに対して同様なカバレッジを達成するのに必要な送信電力は標準ページングチャネルに使用されるものよりも遥かに高くなる可能性がある。
【０００４】
したがって、このようなブロードキャストチャネルをセルラー通信網内に提供しようとすると、いくつかの実際的な考慮すべき事柄が生じる。第１に、このようなチャネルは非常にリソース集約的であるため網の容量は過度に悪化され、定められたブロードキャストチャネルが活性化される領域が移動局がブロードキャストチャネルに実際に同調されるエリアに適当に制限されなければ、他のユーザに対する他のサービスをサポートするのに使用されるはずのリソースが浪費されてしまう。すなわち、ブロードキャストチャネル信号を送信するのに使用されるネットワーク送信機数は、理想的には、ちょうどそのサービスに同調された移動局が配置されるセル数に制限される。
【０００５】
しかしながら、理想化されたサービスエリア制限ではブロードキャストサービスの受信に関心のある各移動局ユーザから受け入れられるサービスを得られないことがある。たとえば、ネットワークサービスセル内の移動局が情報ストリームに登録し、ネットワークは応答してそのストリームに対するブロードキャストチャネル信号を活性化するものと仮定する。ブロードキャストチャネル信号が移動局の現在セル内だけで送信される場合、移動局が現在セルのカバレッジエリアから一つ以上の近隣セルのカバレッジエリア内へ移動すればサービスは中断される。
【発明の開示】
【発明が解決しようとする課題】
【０００６】
したがって、このような中断を最小限に抑えるために、ネットワークオペレータは現在セル内だけでなくある範囲の近隣セル内でもサービスを活性化することができる。しかしながら、活性化されるある範囲の近隣セルを確立することは移動している移動局に対するサービス中断を回避する（あるいは、少なくとも最小限に抑える）要望とネットワークリソースを効率的に使用する要望とのバランスをとる重要な挑戦である。現在の方法では、サービスが活性化される近隣セルの範囲は移動局内の周期的サービス登録タイマに従って設定される地理的範囲内のそれを含む。より短い周期的登録タイマを使用すればより小さい地理的範囲を使用することができるが、ネットワーク内のシグナリングオーバヘッドが増加する。
【課題を解決するための手段】
【０００７】
（発明の概要）
本発明は送信された登録フラグ情報を使用してワイヤレス通信網がブロードキャストサービスを要望する一つ以上の移動局に対してブロードキャストサービスを活性化する地理的範囲を決定する方法および装置を含んでいる。登録フラグ情報は、たとえば、無線“セル”または“セクター”を含むことができる各サービスエリア内でネットワークにより送信される。フラグ情報は定められたブロードキャストサービスに対する登録が現在サービスエリア内で要求されるかどうかを示し、ネットワークがこのような登録を促してブロードキャストサービスへのアクセスを要望する移動局がサービスエリア内に無い時をタイムリーに検出することを許す。一つまたは多くのブロードキャストサービスをネットワークによりこのように個別に制御することができ、好ましくは、利用可能な各ブロードキャストサービスに対して登録フラグ情報が送信される。
【０００８】
典型的な実施例では、ネットワークは一つ以上の“サービスゾーン”を画定し、各ゾーンは一つ以上のメンバーサービスエリアを含み、少なくとも一つのこのようなメンバーサービスエリアは“制御”サービスエリアとして画定される。このようにして、典型的な実施例では、各サービスエリアは少なくとも一つのサービスゾーンに対する制御サービスエリアとして機能するが一つ以上の他のサービスゾーンの関連メンバーとすることができる。ネットワークはそのゾーンを制御するサービスエリア内で動作する移動局からのそのサービスに対する登録要求の受信に応答して全体サービスゾーンに対する要求ブロードキャストサービスの送信を活性化する（または、継続する）。
【０００９】
より詳細には、定められたブロードキャストサービスに対する登録要求が定められたサービスエリア内の移動局から受信されると、ネットワークは定められたサービスエリアにより制御されるサービスゾーンのメンバーである各サービスエリア内の要求ブロードキャストサービスを活性化する（または、継続する）。さらに、ネットワークは要求の受信に応答して定められたサービスエリア内の要求ブロードキャストサービスに対する登録フラグ情報を一時的にクリアする。第１のタイムアウト期間後に、ネットワークはフラグ情報をリセットし、それによりブロードキャストサービスを要望する定められたサービスエリア内の任意の移動局にサービスに対する再登録を促す。フラグ情報をリセットする第２のタイムアウト期間内にこのような登録が受信されなければ、ネットワークは定められたサービスエリアにより制御されるサービスゾーンに対するブロードキャストサービスは終了しているものとみなす。このような要求が受信されれば、前記したように、ネットワークは第１および第２のタイムアウトに従って時間登録フラグ情報クリアおよびリセットを再び繰り返す。
【００１０】
このような方法により、ブロードキャストサービスはサービスゾーンベースで活性化され（または、継続され）サービスエリアベースで非活性化される。すなわち、ネットワークはそのゾーンを制御するサービスエリア内のそのサービスに対する登録要求の受信に応答して全体ゾーンに対する定められたブロードキャストサービスの送信を活性化または継続する。しかしながら、定められたサービスエリアは多数のサービスゾーンのメンバーであることがあるため、ブロードキャストサービスはそれがメンバーである全てのサービスゾーンにおいてサービスが終了している場合しかそのサービスエリア内で非活性化されない。
【００１１】
もちろん、サービスエリアとサービスゾーン間の関係、および制御サービスエリアの規定に関する詳細は必要に応じてあるいは所望により変えることができる。とにかく、各サービスエリアにおけるタイミングのとられた登録フラグ情報の送信により、定められたサービスエリア内でのブロードキャストサービスの活性化または継続を要望する全ての移動局がそのサービスに対する登録要求を周期的に送信する必要性が回避される。フラグベース方法により、ネットワークは対応するフラグをそのサービスエリア内に設定し、次に、そのサービスに対する登録要求の受信に応答してそれを一時的にクリアし、それにより適切に構成された移動局が同じサービスに対する登録要求をさらに送ることが大部分防止される。
【００１２】
たとえ登録フラグを使用しても、ネットワークはより月並みな周期的登録方法を使用する移動局と両立できる。たとえば、サービス終結時間を決めるのに使用されるタイムアウト期間は周期的登録遅延を調整するように設定して早まったサービス終結を回避することができる。しかしながら、このような登録フラグ情報を認識する移動局を使用すると、登録シグナリングの低減によりより高いネットワーク容量利用効率が得られる。
【００１３】
このような移動局が定められたサービスエリア内の大量登録に対する可能性を回避するように構成される場合、さらに効率利得が生じる。したがって、典型的な実施例では、このような移動局は設定登録フラグの認識に応答して登録要求を送る前に待機するように構成される。各移動局が待機する時間の長さは、たとえば、移動局の一意的な国際移動加入者識別（ＩＭＳＩ）を使用するハッシュ関数上の遅延に基づいて移動局間で変えることができる。
【００１４】
このような移動局詳細に無関係に、本発明をサポートする典型的なネットワークは一つ以上の基地局コントローラを含み、各基地局コントローラは一つ以上の無線基地局に関連している。好ましくは、各無線基地局は一つ以上のサービスエリアに対するブロードキャストサービスカバレッジを提供し、その無線基地局により送信される登録フラグはその関連する基地局コントローラにより制御される。この役割において、基地局コントローラはこれらのサービスエリア内で動作する移動局からのブロードキャストサービスに対する登録要求の受信に応答して、それにより管理されるサービスエリア内で送信されるフラグ情報の設定およびクリアの時間を決定する。たとえば、基地局コントローラは各エリア内のこのような各ブロードキャストサービスに対する登録フラグのクリアおよびリセットを制御するのに使用される第１および第２のタイムアウト期間の時間を決める各ゾーン内の各ブロードキャストサービスに対するタイマ対を典型的に維持する。もちろん、当業者ならば他のフラグ制御構成を使用できることがお判りであろう。
【００１５】
本発明の他の典型的なバリエーションでは、ブロードキャストサービス制御に使用されるサービスゾーン画定は、たとえば、ネットワークによりカバーされる地理的領域にわたるサービスエリアの物理的レイアウトおよび/またはこのようなエリア間の無線カバレッジ特性に基づいて、サービスエリアとサービスエリア間の固定連関として画定することができる。しかしながら、サービスゾーン画定は、たとえば、定められたブロードキャストサービスへのアクセスを要望する移動局からのアクティブセット報告に基づいてダイナミックに形成することができる。各サービスエリアに対する既知の近隣リストと組み合わせてこのようなアクティブセット報告を使用して、ネットワークは特定の移動局または移動局群を受け持つサービスゾーンをダイナミックに形成することができる。
【００１６】
いずれの場合にも、本発明は一般的にネットワークの無線カバレッジエリアを含むいくつかのサービスエリアの各々における登録フラグ情報の送信を含んでいる。このようなフラグ情報は定められたブロードキャストサービスが活性化されるサービスエリア数を制限し、最小サービス中断を保証しながら、このようなサービスをタイムリーに非活性化するのに使用される。本発明の典型的なインプリメンテーションは下記の詳細な説明および添付図に基づいて一層良く理解することができる。
【実施例】
【００１７】
（発明の詳細な説明）
パケットデータ通信およびインターネット接続性の出現により、現在のワイヤレス網はユーザにストリーミングコンテンツや他のタイプのブロードキャスト情報サービスを提供する機会を有する。ブロードキャストおよび“マルチキャスト”サービスを含むこのようなサービスはここでは一般的に“ブロードキャストサービス”と呼ばれる。特に、送信電力に関してこのようなサービスの送信はリソース集約的であるため、定められたブロードキャストサービスが送信される領域はできるだけ制限しなければならない。本発明はネットワーク送信ブロードキャストサービス登録フラグと共にサービスエリア/ゾーン概念を使用してネットワークによるブロードキャストサービス送信を制御する。一般的に、ブロードキャストサービスはゾーンベースで活性化されブロードキャスト登録フラグおよび関連タイマを使用してエリアベースで非活性化される。
【００１８】
図１はこのようなブロードキャストサービス制御の典型的な方法を示す。ワイヤレス網１２がいくつかのサービスエリア１０にわたって無線サービスを提供する。前記したように、“サービスエリア”という用語はネットワーク１２内の無線カバレッジのネットワークセル、セクタ、または他の画定エリアを意味することができ、そのため、ここではこの用語に広い構造を与えなければならない。
【００１９】
いずれの場合にも、本発明のこの典型的な実施例では、一つ以上のサービスゾーン１４が画定され、各サービスゾーン１４は一つ以上のメンバーサービスエリア１０を含み、少なくとも一つのこのようなメンバーサービスエリア１０はサービスゾーン１４に対する“制御”サービスエリア１０として機能する。したがって、定められたサービスゾーン１０は一つ以上のサービスゾーン１４の制御メンバーであることがあり、さらに、一つ以上の他のサービスゾーン１４の非制御（関連）メンバーであることがある。
【００２０】
図示する例では、６つのサービスエリア１０、すなわち、エリア１...６および６つのサービスゾーン１４、すなわち、ゾーン１...６があるが、エリアとゾーン間のこのような１対１対応は必要ではない。エリア１はゾーン１を制御し、エリア２はゾーン２を制御し、以下同様である。各ゾーン１４は制御サービスエリア１０の他に一つ以上の関連するメンバーサービスエリア１０を含んでいる。たとえば、ゾーン２はエリア２により制御されるが、それはメンバーとしてエリア１および３も含んでいる。各ゾーン１４内の制御サービスエリア１０には図面では陰影が付けられている。したがって、エリア１はゾーン１の描写内で陰影が付けられ、エリア２はゾーン２の描写内で陰影が付けられ、以下同様である。しかしながら、図示する関係は典型的なものであり、本発明は定められたゾーン１４に対する多数の制御サービスエリア１０等の他の構成により実施することができる。
【００２１】
定められたブロードキャストサービスが定められたサービスエリア１０内で現在イナクティブであると仮定すると、ネットワーク１２はその定められたサービスエリア１０内でネットワーク１２により送信された登録フラグを“設定”してブロードキャストサービスに対する登録が必要であることを移動局に示す。定められたサービスエリア１０内の移動局からこのような要求が受信されると、ネットワーク１２はこのような定められたサービスエリア１０（制御サービスエリア１０）により制御される全体ゾーン１４に対して要求されたサービスを活性化し、その制御サービスエリア１０に対する要求ブロードキャストサービスに対応する登録フラグ情報を一時的にクリアする。第１のタイムアウト期間後に、ネットワークは制御サービスエリア１０に対するフラグをリセットして登録が再度必要であることを示す。
【００２２】
第２のタイムアウト期間内に次の登録要求が受信されなければ、ネットワーク１２はそのエリア１０により制御されるサービスゾーン１４に対するサービスは終了しているものとみなし、そのサービスゾーン１４に対するサービスは非活性化される。しかしながら、後述するように、このようなサービスエリア１０は同じブロードキャストサービスがまだアクティブである他のサービスゾーン１４に属することがあるため、定められたゾーン１４に対するブロードキャストサービスの非活性化はゾーン１４内の全てのサービスエリア１０に対してサービスが非活性化されることを意味しない。
【００２３】
図解に基づく具体例として、定められたブロードキャストサービスは現在ゾーン１，２および３内でイナクティブであるものと仮定する。したがって、そのサービスに対する登録フラグはエリア１，２および３に対して設定される。さらに、エリア２内で動作している移動局が次にサービスに対する登録要求を送信するものと仮定する。要求をサポートするリソースが利用可能であるものと仮定すると、エリア２はそのゾーンだけに対する制御サービスエリアとして指示されるため、ネットワーク１２はゾーン２の全てに対するサービスを活性化する。このようなエリアはゾーン２の関連メンバーであるため、このような活性化によりブロードキャストサービスはエリア２の他にエリア１および３で活性化される。
【００２４】
ゾーン２に対するサービスの活性化に関して、エリア２はそこから要求が受信されたエリア１０であったため、ネットワーク１２はエリア２内のサービスに対する登録フラグをクリアする（エリア１および３内ではクリアしない）。第１のタイムアウト後に、ネットワーク１２はエリア２に対するフラグをリセットし第２のタイムアウトを開始する。その第２のタイムアウト内に登録要求が受信されなければ、ネットワーク１２はゾーン２に対するサービスは終了しているものとみなす。しかしながら、エリア１または３内で他の登録要求が受信されていることがあるため、このような終了だけではゾーン２を含むエリア１０内のブロードキャストサービスの実際の非活性化は必ずしも行われない。したがって、定められたエリア１０内のブロードキャストサービスの送信は、そのエリア１０が関連する全てのゾーン１４でそのサービスが終了している時しか終了しない。
【００２５】
前記例を続けると、エリア１および３内に設定されたこれらのフラグは残しながらエリア２内の登録フラグを一時的にクリアすると、ブロードキャストサービスへのアクセスを要望する移動局はエリア２からエリア１または３へ移動する時に再登録するよう促される。このようにして、ブロードキャストサービスに対する“アクティブゾーン”はネットワーク１２のさまざまなゾーン１４中を移動する時の移動局に“追従する”。
【００２６】
このような動作により移動局が、たとえば、定められたブロードキャストサービスを監視しながら新しいセルへの無用のハンドオフを行う時に、大領域にわたる活性化を必要とせずに新しいセル内でサービスを利用できることが保証される。したがって、本発明はゾーン１４内の全サービスエリア１０に対して登録フラグがクリアされている場合に生じることがあるサービス中断を回避しながら、大きすぎる地理的領域内のブロードキャストサービス送信により生じる下り回線非効率を回避する。さらに、登録要求を受信するサービスエリア１０内のフラグを一時的にクリアすることにより、ネットワーク１２はこのようなサービスが活性化されたらブロードキャストサービスをタイムリーに非活性化する機構を有することを保証する。後述するように、このような動作は全てフラグベース登録ではなく周期的登録を使用する移動局と両立するようにすることができる。
【００２７】
ネットワークの詳細に戻って、図２は前記したエリア１０およびゾーン１４を含む典型的なワイヤレス通信網１２に対する詳細を示す。ネットワーク１２は本発明に従ってブロードキャストサービスを管理し、たとえば、ｃｄｍａ２０００に従って実現することができる。しかしながら、当業者ならばネットワーク１２はＩＳ-９５，ＩＳ-８５６（ＨＤＲ），ＷＣＤＭＡ，ＧＳＭ/ＧＰＲＳを含む広範な他のネットワーク標準に従って実現することができ、他のネットワークインプリメンテーションはさまざまなネットワークエンティティに対して異なるアーキテクチュアおよび異なる専門語を使用できることがお判りであろう。
【００２８】
ネットワーク１２は複数の移動局（図示せず）を公衆データ網（ＰＤＮ）１６、たとえば、インターネット等のさまざまな外部網に通信可能に接続する。無線アクセス網（ＲＡＮ）１８は移動局とパケット交換コア網（ＰＳＣＮ）２０間のインターフェイスを提供し、それは、典型的な実施例では、パケットデータサービングノード（ＰＤＳＮ）２２およびホームエージェント（ＨＡ）２４を含んでいる。ＰＳＣＮ２０は典型的に被管理ＩＰ網２６およびゲートウェイルータ２８を介してＰＤＮ１６に接続される。
【００２９】
この典型的な実施例では、ＲＡＮ１８はサービスエリア１０の一つ以上のセット３０にわたるカバレッジを提供し、一つ以上の基地局コントローラ（ＢＳＣ）３２、たとえば、ＢＳＣ１...ＢＳＣＮを含んでいる。各ＢＳＣ３２は潜在的に多数の無線基地局（ＲＢＳ）３４を制御する。名目上、各ＲＢＳ３４は定められた一つのサービスエリア１０内でブロードキャストサービスおよび登録フラグ送信を提供する。したがって、この典型的な構成により、各ＢＳＣ３２はそれが管理するＲＢＳ３４に対応する複数のサービスエリア１０およびサービスゾーン１４を管理する。もちろん、サービスエリア１０のセット３０は重なり合うことができ、サービスゾーン１４はＢＳＣ３２を跨ぐことがある。このような状況では、ブロードキャストサービス管理に関連するＢＳＣ間通信、たとえば、受信登録要求の通知、を一つ以上のＢＳＣ間リンク３６を介して運ぶことができる。当業者ならば、例示した詳細は特定のＢＳＣ/ＲＢＳ詳細によって決まり、本発明はＲＢＳ３４とサービスエリア１０間の１対１の対応に限定されないことを理解できるであろう。
【００３０】
とにかく、ネットワーク１２は図１の検討において導入された方法に従ってブロードキャストサービスを管理する。したがって、図２に対する図１のエリア/ゾーン画定例を続けると、ＢＳＣ１はエリア１...６に対するＲＢＳ１...６を制御し、対応するゾーン１...６内のブロードキャストサービスを管理する責任がある。動作において、ＢＳＣ１はエリア１...６に無線サービスを提供する各ＲＢＳ３４から送信される登録フラグを設定およびクリアし、それに応じてゾーン１...６内の要求ブロードキャストサービスの活性化および非活性化を管理する。
【００３１】
一時的に、各サービスゾーン１４は隣接または少なくとも近隣サービスエリア１０のセットとして画定される。たとえば、サービスエリア１０がネットワークの全体カバレッジエリア内の無線セルと一致する所では、各サービスゾーン１４はセルの重なり合う無線カバレッジに基づいて画定することができる。ネットワーク計画情報を使用してこのようなエリア/ゾーン画定を知らせることができ、このような情報はネットワークのカバレッジエリア内のさまざまなポイントにおける移動局により典型的に“見られる”ＲＢＳ３４のセットを記述する“近隣リスト”および/または“アクティブセット”データを含むことができる。他の実施例では、ダイナミック画定ゾーン１４を使用してこのような予構成ゾーン画定を補足または置換することができる。
【００３２】
前記したように、ネットワーク１２はブロードキャストサービスに加入しながら異なるサービスエリア/ゾーン間を移動する移動局に対するサービス中断を回避または実質的に低減しながら、ネットワーク１２により送信される個別のブロードキャストサービスに対する活性化領域を制限するエリア/ゾーン画定を利用する。そのために、ネットワーク１２は各サービスエリア１０内の送信登録フラグを使用して定められたブロードキャストサービスの活性化（または、継続）を要望する移動局の登録を制御する。典型的な実施例では、全体計画はおおまかにいくつかのポイントを含んでいる。
-ネットワーク１２は一つ以上の“オーバヘッド”チャネル信号上で登録要求フラグを送信して一つ以上のブロードキャストサービスの活性化を要望する移動局によるブロードキャストサービス登録を制御する、
-フラグ情報が各サービスエリア１０内で独立に制御され、各サービスエリア１０はそのサービスエリア１０内で利用可能な各ブロードキャストサービスに対する登録フラグ情報を送信する。
-登録が必要であることを示すように“設定”されこのような登録は必要ではないことを示すように“クリア”される“１-ビット”論理インジケータとして各フラグを構成することにより、フラグ情報は比較的小さいデータオーバヘッドで送信することができる。
-ネットワーク１２はサービスゾーン当りベースでブロードキャストサービスを活性化する。
したがって、インプリメンテーション機構の典型的なインプリメンテーションは、Ｆ-ＰＣＨやＦ-ＢＣＣＨ等の共通チャネル上の定められたサービスエリア１０内でブロードキャストされるブロードキャストサービスパラメータメッセージ（ＢＳＰＭ）等の、オーバヘッド情報に１ビットフラグを付加するだけでよい。このように使用されると、フラグは特定のブロードキャスト情報サービスに対する登録が定められたサービスエリア１０により制御されるゾーン１４内のその情報サービスを開始するかまたは“生かし続ける”のに必要であるかどうかを示す。
【００３３】
図３は利用可能な各ブロードキャストサービスに対してネットワーク１２が使用することができる典型的なサービスゾーンフラグ管理を示し、図示する論理は定められたサービスゾーン１４に対する制御サービスエリア１０内の定められたブロードキャストサービスに対するフラグ情報を管理するのに応用される。付加ブロードキャストサービスが利用可能であれば、同様な論理を使用してこれらの付加サービスに対応する付加フラグを管理するのに使用することができる。
【００３４】
ブロードキャストサービスはゾーン１４に対してイナクティブであるという仮定により処理が開始する。したがって、関連する登録フラグは、ブロードキャストサービスへのアクセスを要望する制御サービスエリア１０内の任意の移動局がブロードキャストサービスを活性化するサービス登録要求を送信しなければならないことを示すように“設定”される（ステップ１００）。ネットワーク１２はこのようなサービスエリア１０からの任意の要求の受信を監視する（ステップ１０２）。監視は登録要求が受信されるまで続き（ステップ１０４）、その点においてネットワーク１２は全体ゾーン１４に対する要求サービスを活性化し、フラグ情報をクリアして第１のタイマ（Ｔ１）を始動させる、すなわち、第１のタイムアウト期間の時間決定を開始する（ステップ１０６）。“クリア”フラグはブロードキャストサービスに対する登録は必要ないことを示す。
【００３５】
第１のタイムアウト期間が終了していなければ（ステップ１０８）、ネットワーク１２はサービスエリア１０内の任意の移動局からのブロードキャストサービスに対する後続登録要求の受信を監視する（ステップ１１０）。第１のタイムアウト期間が終了する前にこのような要求が受信されると（ステップ１１２）、第１のタイマが再始動されて第１のタイムアウト期間が終了するのを防止する。各後続要求により第１のタイムアウト期間が再始動することに注目されたい。
【００３６】
このような後続要求がサービスエリア１０内でタイムリーに受信されず第１のタイムアウト期間が終了すると（ステップ１０８）、ネットワーク１２はサービスエリア１０内でブロードキャストサービスに対する登録が再度必要であることを示すようにフラグをリセットして第２のタイマ（Ｔ２）を始動させる、すなわち、第２のタイムアウト期間の時間決定を開始する（ステップ１１６）。サービスエリア１０内でもう一つの登録要求が受信される前に第２のタイムアウト期間が終了すると（ステップ１１８）、ネットワークはサービスゾーン１４に対するブロードキャストサービスは終了しているものとみなす（ステップ１２０）。第２のタイムアウト期間が終了していなければ、ネットワーク１２はサービスエリア１０内でのサービス要求の受信を監視し続ける（ステップ１２２および１２４）。このようなサービス要求を受信すると、ネットワーク１２は第１および第２のタイマをリセットし（ステップ１２６）、再度フラグをクリアして第１のタイムアウト期間の時間決定を開始する（ステップ１０６以降）。
【００３７】
定められたサービスエリア１０は多数のゾーンのメンバーであることがあるため、サービスエリア１０がメンバーである全てのゾーン１４内でブロードキャストサービスが終了していないかぎり、ネットワーク１２はそのサービスエリア１０内の定められたブロードキャストサービスを一般的に非活性化しない。したがって、典型的な方法では、ネットワーク１２はエリア１０が関連する任意のゾーン１４がアクティブとなる時にサービスエリア１０内の定められたブロードキャストサービスを活性化し、全てのこのような関連ゾーン１４がイナクティブとなる時のみそのエリア１０内のサービスを非活性化するハードウェア、ソフトウェア、またはそれらの組合せの形の処理および制御論理を含んでいる。
【００３８】
このようにして、前記論理に従って、ネットワーク１２は各サービスエリア１０内での登録要求の受信（または、非受信）に応答して各画定サービスエリア１０内の各利用可能なブロードキャストサービスに対する登録フラグを設定しクリアする。制御方法の結論は、定められたブロードキャストサービスに対して、ネットワーク１２はサービスに対する登録が必要であることを示すように対応する登録フラグを設定し、サービスエリア１０内で動作している移動局からのブロードキャストサービスに対する登録要求の受信に応答してそのフラグを一時的にクリアすることである。第１のタイムアウト期間内に後続要求が受信されなければ、ネットワーク１２はフラグをリセットし、それはエリア１０内の任意の移動局にサービスに対する登録を再度促す。フラグをリセットする第２のタイムアウト期間内にこのような要求が受信されなければ、ネットワーク１２はブロードキャストサービスへのアクセスを要望するいかなる移動局ももはやサービスエリア１０内には無いものと見なし、サービス終了インジケータを設定する（ステップ１２０）。
【００３９】
図４はこの典型的なフラグ/タイマ制御論理に基づいているが、ネットワーク１２がサービスゾーンベースでブロードキャストサービスの送信を管理する制御論理のより高いレイヤを示す。一つ以上の典型的な実施例では、ネットワーク１２は各画定サービスゾーン１４内の利用可能な各ブロードキャストサービスに対する例示された論理を実現する。
【００４０】
簡単に言えば、本発明の典型的なインプリメンテーションはそのサービスエリア１０がメンバーである任意のサービスゾーン１４内のそのサービスに対する登録要求が受信される場合に、定められたサービスエリア１０内の定められたブロードキャストサービスを活性化する。逆に、そのサービスエリア１０がメンバーである全てのサービスゾーン１４内でそのサービスが終了している場合だけ、定められたサービスエリア内で定められたブロードキャストサービスが停止される。したがって、関連する全サービスゾーン１４の“ＯＲ”論理構造が定められたサービスエリア１０内のブロードキャストサービスの活性化に関連付けられ、関連する全サービスゾーン１４の“ＡＮＤ”論理構造がそのサービスエリア１０内のこのようなサービスの非活性化に関連付けられる。
【００４１】
したがって、定められたブロードキャストサービスが定められたサービスエリア１０内で現在イナクティブであるものと仮定すると、ネットワーク１２はサービスエリア１０がメンバーである全てのサービスゾーン１４内でそのサービスに対する登録要求の受信を監視する（ステップ１３０および１３２）。一つ以上のこのような要求が受信されると、ネットワーク１２はサービスエリア１０に対するブロードキャストサービスを活性化（または、継続）させる（ステップ１３４）。典型的な実施例では、これにはサービスエリア１０内でブロードキャストサービス情報ストリームを運ぶブロードキャストチャネル信号の送信を行うＲＢＳ３４または他の送信機エンティティにおける送信リソースの割当て（または、保持）を伴う。たとえば、ｃｄｍａ２０００-ベースネットワークインプリメンテーションでは、ネットワーク１２は各エリア１０内でのブロードキャストサービスの送信にForward Broadcast Supplemental Channel(F-BSCH)を使用することができる。
【００４２】
ネットワーク１２は図３の論理に従って全てのサービスエリア１０のブロードキャストサービスに対して送信された登録フラグを管理する（ステップ１３６）。したがって、ネットワーク１２は定められたサービスエリア１０に関連する全てのサービスゾーン１４内のブロードキャストサービスの終了を監視またはチェックする（ステップ１３８）。終了インジケータのセットにより表示することができるように、このような全てのサービスゾーン１４に対してサービスが終了しておれば、ネットワーク１２はサービスエリアに対するブロードキャストサービスの送信を停止する（ステップ１４０）。しかしながら、サービスエリア１０が関連する全てのサービスゾーン１４に対してブロードキャストサービスが終了していなければ（ステップ１３８）、前記したように、ネットワーク１２はそのサービスの送信を継続し動作を継続する。ブロードキャストサービスの非活性化はサービスエリア１０内のそのサービスをサポートする各ＲＢＳ３４における割当てられた無線リソースの解放を伴う。
【００４３】
前記したフラグベースブロードキャストサービス制御論理はいくつかの方法で実現することができるが、図５および６に典型的なインプリメンテーションを示す。図５において、各ＢＳＣ３２はその制御下で動作する各ＲＢＳ３４からの登録フラグの送信を、これらのＲＢＳ３４に関連するサービスエリア１０内で動作する移動局７０からのブロードキャストサービス登録の受信に基づいて管理する。
【００４４】
これに関して、図５に従った各ＢＳＣ３２はＢＳＣ３２により管理される各サービスエリア１０内のＮブロードキャストサービスを管理する一つ以上のブロードキャストサービスコントローラ５２、すなわち、５２-１,５２-２,...,５２-Ｎを含む、インターフェイスおよび制御処理リソース５０を機能的に含んでいる。当業者ならば、このような構成はＢＳＣ３２内でハードウェア、ソフトウェア、またはそれらの任意所望の組合せによりサポートされること、さらには他の機能的構成を使用できることがお判りであろう。
【００４５】
いずれの場合も、典型的なＢＳＣ３２は少なくとも一つのサービスエリア１０および対応するサービスゾーン１４を制御し、それに関して、そのサービスエリア１０に対する無線カバレッジを提供するＲＢＳ３４から送信された登録フラグを設定およびクリアする。典型的なＲＢＳ３４はＢＳＣ３２と通信しタイミングおよび無線制御機能を提供する制御論理６０、およびブロードキャストサービス信号および登録フラグ信号を移動局７０へ送信するトランシーバリソース６２を含んでいる。
【００４６】
定められたＢＳＣ３２において、ブロードキャストサービスコントローラ５２-１は一つ以上のサービスエリア１０内の定められたブロードキャストサービスを制御するものと仮定する。図６に関して、コントローラ５２-１は制御論理５４および関連するタイマ５６を維持する。好ましくは、コントローラ５２-１は被制御サービスエリア１０により表される各サービスゾーン１４に対するＴ１/Ｔ２対のタイマを維持する。この典型的な構成により、制御論理５４は図３および４の状況において記述された論理に従ってタイマ５６を管理する。したがって、ＢＳＣ３２はそのサービスエリア１０に関連する全てのサービスゾーン１４内の全てのＴ２タイマが終了している場合に定められたサービスエリア１０内のブロードキャストサービスを非活性化するように、各Ｔ２タイマの終了を対応するサービスゾーン１４に対する“サービス終了インジケータ”として使用することができる。
【００４７】
一つのＢＳＣ３２が一般的に多数のサービスエリア１０および対応するサービスゾーン１４を管理することに注目されたい。このようなサービスゾーン１４は、一つ以上の近隣サービスエリア１０を関連付ける等の、ネットワーク１２の特性に基づいて画定することができるが、ネットワーク１２はダイナミックサービスゾーン１４を利用することができる。したがって、ネットワーク１２はサービスゾーン１４をダイナミックに成形し、各ブロードキャスト/マルチキャストセションはその特定のブロードキャストサービスを要望する移動局７０のロケーションに基づいて送信される。定められたサービスゾーン１４はこのようにしてネットワークセルの小さいオーバラップゾーンに基づいて拡張および収縮することができる。
【００４８】
ダイナミックサービスゾーン１４への典型的なアプローチにおいて、ネットワークの一つ以上のサービスエリア１０内で動作する移動局７０は、ネットワーク１２により使用されるサービスエリア/サービスゾーン連関をダイナミックに構成するのに使用することができる帰還情報を提供する。たとえば、このような帰還情報は要望されたブロードキャストサービス信号をそれに提供するのにどのサービスエリア１０を使用できるかを報告する各移動局７０を含むことができる。多様な（multiple）サービスエリア１０内のネットワーク送信機からブロードキャストサービス信号を受信する場合、定められた移動局７０はソフト結合を使用できることに注目されたい。
【００４９】
したがって、典型的な実施例では、移動局７０はその“アクティブセット”をネットワーク１２に報告し、それは定められた信号強度よりも上の信号をそこから受信するＲＢＳ３４のセットの報告を伴うことがある。ある実施例では、ネットワーク１２はそのアクティブセットの決定に使用する閾値情報を移動局７０に提供する。とにかく、ネットワーク１２は報告されたアクティブセット情報を使用してブロードキャストサービスが活性化されるゾーン１４をダイナミックに構成することができる。
【００５０】
典型的なインプリメンテーションでは、“近隣リスト”情報が各サービスエリア１０に対して送信される。このような近隣リスト情報は、たとえば、ＩＳ-９５システム内で使用される近隣リストと同じまたは類似したものとすることができ、定められた無線セクタに対して送信された近隣リストは近隣セクタパイロット信号のリストを識別する。しかしながら、本発明の状況において使用される近隣リストは、たとえば、各サービスエリアに対して画定されたデフォルトゾーンに対応する近隣サービスエリアのリストを含むことができる。各サービスエリア１０内で送信される登録フラグ情報は登録フラグアレイとして実現することができ、各アレイエレメントは近隣リスト内の一つのサービスエリア１０に対する登録フラグを表す。たとえば、定められたサービスエリア１０に対する近隣セット内にＮサービスエリア１０があれば、そのサービスエリア１０内で送信されるフラグアレイはＮフラグビットを含むことができる。各フラグビットは単一登録フラグタイミングについて前記したのと同様に別々にエージングする（別々に時間決定する）ことができる。
【００５１】
受信した登録フラグアレイ内のフラグビットがそのアクティブセット内の一つ以上のパイロットに対して設定されることを移動局７０が検出すると、移動局７０はネットワーク１２に登録してそのアクティブセットの表示を与える必要があることを認識する。ネットワーク１２において、このような登録により報告されたアクティブセット内で識別されたパイロットに対応する各サービスエリア１０に関連するフラグタイマをリセットすることができ、あるいはネットワークは登録要求が受信されたサービスエリア１０に関連するフラグタイマを単純にリセットすることができる。
【００５２】
定められたサービスエリア１０内の登録要求の受信に応答して、ネットワーク１２はそのサービスエリア１０により制御されるデフォルトサービスゾーン１４を活性化することができる。しかしながら、ネットワーク１２は要求する移動局の報告されたアクティブセット内で識別されたサービスエリア１０内でしかブロードキャストサービスを活性化することができない。したがって、ネットワーク１２はアクティブセット情報を使用してデフォルトゾーン境界内のより小さいダイナミックゾーン１４を活性化することができる。したがって、ダイナミックに画定されたサービスゾーン１４の一つの利点はサービスが定められた移動局７０のアクティブセットに属するサービスエリア１０、たとえば、セル内でしか同調されないことである。
【００５３】
ダイナミックゾーン構成があってもなくても、ネットワーク１２は一般的にブロードキャストサービス制御の目的で、単一ビット論理インジケータまたはこのようなインジケータのアレイ等の、登録フラグ情報を送信する。登録フラグ情報がネットワーク１２により送信される特定のフォーマットに無関係に、ネットワーク１２による時間決定された登録フラグ情報の送信により移動局７０にサービスエリアベースでブロードキャストサービスの登録を促すことができ、またこのようなサービスが終了する時をサービスゾーンベースで検出することができる。ここで、サービス終了は規定されたタイムアウト期間内に定められたサービスゾーン１４を含む任意の制御サービスエリア１０からの定められたブロードキャストサービスに対する任意の要求の不在として規定される。
【００５４】
他の典型的なインプリメンテーション詳細において、前記したように、本発明は周期的移動局ブロードキャストサービス登録の必要性をなくすことにより低減されたシグナリングを提供する。それにもかかわらず、ネットワーク１２が定められたエリア１０内のブロードキャストサービスに対する不要に多数の登録要求をまだ受信することがある選出シナリオを想像することができる。たとえば、全てが定められたブロードキャストサービスへのアクセスを要望する比較的多数の移動局７０が、そのブロードキャストサービスに対するフラグが第１のタイムアウト期間の終了時にリセットされる時に定められたサービスエリア１０内に配置されているものと仮定する。特記無き限り、そのエリア１０内の全ての移動局７０がフラグの設定状態の認識に応答してブロードキャストサービスに対する登録要求を送信する。しかしながら、このような不要な登録信号は回避することができる。
【００５５】
図７はネットワーク１２により受信される登録要求の総数を減少させる機能的論理を提供する移動局７０に対する典型的な構成を示す。典型的な移動局７０はＲＢＳ３４に対して信号を送受信するアンテナ７２、ＲＦ受信機７６およびＲＦ送信機７８をアンテナ７２に接続するスイッチ/デュプレクサ７４、信号処理（チャネル/エラーコーディング等）を行うベースバンドプロセッサ８０、ユーザインターフェイス（Ｕ/Ｉ）８４の制御を行うシステムコントローラ８２、および登録制御論理８６を含んでいる。
【００５６】
典型的な実施例では、登録制御論理８６はネットワーク１２からのそのサービスに対する設定登録フラグの受信に応答して、ネットワーク１２へブロードキャストサービス登録要求を送る前に移動局７０が待機する時間量を設定する登録応答遅延を与える“ハッシュ”関数に従って動作する。したがって、制御論理８６は（１）設定登録フラグが受信されていることを認識し、（２）構成された応答遅延を待機し、（３）フラグがまだ設定されているかどうかをチェックし、そうであれば、（４）ブロードキャストサービスに対する登録要求をネットワーク１２へ送信する。
【００５７】
ネットワーク１２は第１の着信登録要求に応答して再度フラグをクリアし、定められたサービスエリア１０内の第１の応答する移動局７０は一般的にそのエリア内の他の移動局７０が同じブロードキャストサービスに対する付加登録要求を送ることを防止する。したがって、登録フラグが定められたサービスエリア１０内でクリアされた状態から設定状態へ遷移する時に、通常は一つだけでせいぜい二三の登録要求が移動局７０の一層大きなグループから送信される。
【００５８】
移動局７０間で異なる登録応答遅延を採用することにより、全てが同じサービスエリア１０内の同じブロードキャストサービスに加入している移動局７０の大きなグループによる登録要求でネットワーク１２が溢れることが回避される。もちろん、登録応答遅延は各移動局７０に一意的なものである必要はないが、任意の定められたグループ内で二三以上の移動局７０が同じまたはほぼ同じ登録応答遅延を有することがないように十分多様性でなければならない。
【００５９】
さまざまなフラグタイマおよび応答遅延の構成には多くのバリエーションがある。しかしながら、典型的な構成では、タイマＴ１およびＴ２は第１および第２の終了期間の組合せが“エージング”機構を提供し、ネットワーク１２内のサービスエリア１０間を移動する移動局７０がＴ１＋Ｔ２秒のサービス活性化“テール”を後に残すように選択される。また、前記した応答遅延機構が移動局７０内で使用される場合には、Ｔ２の値は最大応答遅延よりも大きくなければならない。したがって、応答遅延がＴｈであれば、Ｔｈ(ｍａｘ)<Ｔ２となる。Ｔ１，Ｔ２，およびＴｈ（ｍａｘ）に対する典型的な値は、それぞれ、９０秒、９０秒、および６０秒である。
【００６０】
さらに、タイマＴ２はブロードキャストサービス“キープ-アライブ”タイマとして働くため、サービスゾーン１４を含むサービスエリア１０のセットに対応するＴ２タイマは、各々が周期的ブロードキャストサービス登録タイマを利用する移動局の周期的登録間隔よりも長くなるように設定しなければならない。したがって、全てのサービスエリア１０に対してＴ２>Ｔｐ(ｍａｘ)となり、Ｔｐ(ｍａｘ)は予期される最大周期的移動局登録間隔である。Ｔ２をこのように構成することにより、定められたサービスゾーン１４内のサービスに加入している移動局だけがフラグ駆動登録ではなく周期的登録を使用するゾーン１４内のブロードキャストサービスをネットワーク１２が早すぎて非活性化しないことが保証される。
【００６１】
前記したハッシュ操作、または同様な登録応答スタッガリング機構があっても、登録フラグがクリアされるサービスエリア１０からフラグが設定されるサービスエリアへの無用のハンドオフが行われる場合、移動局７０は即座にブロードキャストサービス登録を実施するように構成できることに注目しなければならない。すなわち、移動局の登録応答遅延機構は無用のハンドオフ操作中はスキップすることができる。
【００６２】
一般的に、本発明は一つ以上のサービスエリア１０からなる画定されたサービスゾーン１４内のブロードキャストサービス送信を管理する登録フラグを使用し、前記した検討は典型的なインプリメンテーション詳細を提供する。しかしながら、前記した詳細は本発明を制約するものと考えてはならない。本発明は特許請求の範囲およびそれに相当する正当なものによってのみ制限される。
【図面の簡単な説明】
【００６３】
【図１】サービスエリアおよび対応するサービスゾーンの典型的な構成の線図である。
【図２】図１のサービスエリアおよびサービスゾーンを含む典型的なワイヤレス通信網の線図である。
【図３】サービスエリアに対する典型的なフラグ管理論理の線図である。
【図４】サービスゾーンに対する典型的なブロードキャストサービス制御論理の線図である。
【図５】図２の網内で使用する典型的な基地局コントローラおよび典型的な無線基地局の線図である。
【図６】図２の網内で使用する典型的な基地局コントローラおよび典型的な無線基地局の線図である。
【図７】図２の網内で使用する登録フラグ処理能力を含む典型的な移動局の線図である。
【図１】
2005535272.tif 000003
【図２】
2005535272.tif 000004
【図３】
2005535272.tif 000005
【図４】
2005535272.tif 000006
【図５】
2005535272.tif 000007
【図６】
2005535272.tif 000008
【図７】
2005535272.tif 000009
【国際調査報告】
2005535272.tif 000010
2005535272.tif 000011